(57)【要約】      （修正有）【課題】揮発性有機溶剤（以下、「ＶＯＣ」という。）または有機液体に含有するＶＯＣの蒸発抑制方法およびＶＯＣ蒸発抑制剤ならびに蒸発抑制効果に優れた揮発性ＶＯＣ吸収液を提供する。【解決手段】ＶＯＣまたは有機液体に含有されたＶＯＣが貯蔵中または使用中に蒸発により減量または拡散することを防止するためのＶＯＣの蒸発抑制方法であって、ＶＯＣおよびＶＯＣを含有する有機液体に有効量のシリコーンオイルを添加することを特徴とするＶＯＣの蒸発抑制方法およびシリコーンオイルからなるＶＯＣ蒸発抑制剤ならびにシリコーンオイルと有機液体とからなるＶＯＣ吸収用吸収液組成物。【選択図】なし【特許請求の範囲】
【請求項１】
揮発性有機溶剤または有機液体に含有された揮発性有機溶剤が貯蔵中または使用中に蒸発により減量または拡散することを防止するための揮発性有機溶剤の蒸発抑制方法であって、
揮発性有機溶剤または揮発性有機溶剤を含有する有機液体に有効量のシリコーンオイルを添加することを特徴とする揮発性有機溶剤の蒸発抑制方法。
【請求項２】
前記シリコーンオイルが、−１０℃においても流動可能な液状体又は界面活性剤で水中に形成させたエマルジョン状の分散体である請求項１に記載の揮発性有機溶剤の蒸発抑制方法。
【請求項３】
前記シリコーンオイルの平均分子量が２５０以上であり、沸点が２００℃以上の常温で液体状である請求項１または２に記載の揮発性有機溶剤の蒸発抑制方法。
【請求項４】
前記シリコーンオイルの添加量が、揮発性有機溶剤または揮発性有機溶剤を含有する有機液体の全質量基準で５質量ｐｐｍ〜３０質量％である請求項１に記載の揮発性有機溶剤の蒸発抑制方法。
【請求項５】
前記有機液体が、添加対象とされる前記シリコーンオイルの表面張力以上の表面張力を有する揮発性有機溶剤吸収用吸収液である請求項１に記載の揮発性有機溶剤の蒸発抑制方法。
【請求項６】
前記有機液体が、リン酸エステル、ポリエーテル、エポキシ化合物、有機酸エステル、液状炭化水素、またはこれらの混合物である請求項１または５に記載の揮発性有機溶剤の蒸発抑制方法。
【請求項７】
前記揮発性有機溶剤が、ベンゼン、トルエン、キシレン、アセトン、メチルエチルケトン、酢酸エチル、酢酸プロピル、メタノール、イソブタノール、炭化水素混合体、テトラヒドロフラン、ジメチルホルムアルデヒド、アクリル酸エステル、メタクリル酸エステル、Ｎ−メチルピロリドン、酢酸、及びトリクロルエチレンからなる群より選択された少なくとも一種である請求項１に記載の揮発性有機溶剤の蒸発抑制方法。
【請求項８】
請求項１〜７のいずれか一項に係る揮発性有機溶剤の蒸発抑制方法において用いられるシリコーンオイルからなる揮発性有機溶剤蒸発抑制剤。
【請求項９】
請求項１〜７に係る揮発性有機溶剤の蒸発抑制方法について用いられるシリコーンオイルと有機液体からなる揮発性有機溶剤吸収用吸収液組成物。
【発明の詳細な説明】
【技術分野】
【０００１】
本発明は、揮発性有機溶剤（以下、「ＶＯＣ」ということがある。）の蒸発抑制方法およびＶＯＣの蒸発抑制方法に用いられるＶＯＣ蒸発抑制剤並びにＶＯＣ蒸発抑制剤を含有するＶＯＣ吸収用吸収液組成物に関するものであり、さらに詳しくは、特に、印刷、塗装、繊維工業、木製品製造業、接着剤関連業、フィルム加工業、化学工業の工場および実験室等で用いられるトルエン等の芳香族炭化水素、酢酸エステル、アクリル酸エステル、メタクリル酸エステル等のエステル類、メチルエチルケトン（ＭＥＫ）等のケトン類等からなるＶＯＣの蒸発抑制方法およびＶＯＣの蒸発抑制方法に用いられるＶＯＣ蒸発抑制剤ならびにＶＯＣ吸収用吸収液組成物に関するものである。
【背景技術】
【０００２】
産業界、特に塗装、印刷等の分野、例えばグラビア印刷、オフセット印刷等の印刷分野、建造物の外壁の塗工分野、ガソリンスタンドなどの石油分野では、有機溶剤として、一般に揮発性のＶＯＣが広く使用されている。
【０００３】
かかるＶＯＣは、貯蔵中または使用中に空気中に蒸発拡散し、臭気および光化学スモッグの発生原因となっていることはすでに指摘されてきたところである。
【０００４】
従って、環境保全の観点から、現在においては前記ＶＯＣの排出を抑制することが不可欠な状況となり、各分野において使用済みの排出ＶＯＣの回収処理を行なう措置をとる努力が払われてきている。
【０００５】
例えば、従来、排出ＶＯＣの除去方法として開発され実施されてきた対策は、第一に燃焼方式によるものであり、また、第二に、吸着方式も提案実施されている。
【０００６】
第一の燃焼方式は、排気をダクトで一つに集め、触媒上に通したり、新たに燃料を加えてＶＯＣを燃焼させることにより除去する方法である。燃焼方式には直接燃焼方法と接触燃焼方法があり、いずれも高温条件下でＶＯＣを酸化分解するものである。
【０００７】
かかる燃焼方式によれば、排出ガスの除去率が大きいという特長があるが、温度条件によってはダイオキシンが発生する可能性がある点、燃焼によりＣＯ２ガスを多量に排出する点のほかランニングコストが高いことが欠点とされている。また、装置の大型化が必要であり、多額の投資額を要するので、小規模な発生源からの排気の処理にはコスト高となるため装置の設置が困難である。また、ＶＯＣの回収再利用ができないという問題もある。
【０００８】
第二の吸着方式としては、特に物理的な吸着方法が一般的に普及しており、排気ガスを固体粉末状の吸着剤、主に活性炭およびゼオライト等に接触させ、含有ＶＯＣを吸着除去する方式である。
【０００９】
かかる方式によれば、吸着後にＶＯＣを脱着回収してＶＯＣおよび吸着剤をそれぞれ再利用することができ、回収率も高いという利点がある。また、ＣＯ２を排出しないという環境保全上の有利な点がある。
【００１０】
しかし、かかる吸着方式では、吸着ゾーンに固体粉末を通過させ、吸着ＶＯＣを回収するための操作には大きなエネルギーとコストを要するという工学上の困難な問題がある。また、固体粉末が空気中に飛散するという問題もある。
【００１１】
一方、化学的な吸着方式としては、例えば、シクロデキストリン水溶液に排気を通し、シクロデキストリンの環状構造が形成する空洞にＶＯＣを包摂化合物として水素結合により取り込むことにより、排気ガス中のＶＯＣを除去する方法を挙げることができるが、かかる方法は、未だ十分な効果を奏するまでには至っていない。
【００１２】
さらに、第三の方式として、液体吸収法が提案されている。液体吸収方式は、排気ガスを吸収液と接触吸収させ、吸収後、蒸留等の方法により分離回収する方式である。排気ガスの吸収液との接触は、吸収液をシャワー状の状態で行なうか、または排気ガスを吸収液中にバブリングする方式により行なう方式がある。  また、吸収液としては、灯油等の高沸点炭化水素溶剤、グリコールモノアルキルエーテルとデセンとの混合物、その他の界面活性剤の水溶液等が提案されている。
【００１３】
かかる液体吸収法によれば、比較的小型から大型の装置の設計が可能であり、装置費が低コストで済み、ＣＯ２の発生もなく、ＶＯＣの回収および吸収後の再利用も可能とされている。
【００１４】
しかし、現実には、未だ大量のＶＯＣが大気中に排出され、臭気および光化学スモッグの原因となっていることは前記の通りであり、前記の浄化方法を採用してもＶＯＣの再蒸発が生じ、ＶＯＣを吸収液等に完全に封じ込めることができず、減量化しているとはいえ、ＶＯＣの一部は、大気中に拡散させているのが実態である。
【００１５】
前記の液体吸収法においても、ＶＯＣの吸収率を向上させるための吸収液の組成の改善、吸収工程の改善が提案されているが、ＶＯＣの完全な封じ込めは実現されていない。
【００１６】
かかる観点から、ＶＯＣを取り扱う際に、大気中に排出する前にＶＯＣの蒸発を抑制し、また、吸収と同時に生ずる再蒸発を抑制することができれば、従来開発されてきたＶＯＣ除去技術の価値を一変させることができるはずであり、かかるＶＯＣ蒸発抑制技術の開発が切望されてきた。
【特許文献１】特開２００９−６１４４９号公報
【発明の概要】
【発明が解決しようとする課題】
【００１７】
従って、本発明の課題は、ＶＯＣまたはＶＯＣを含有する有機液体の貯蔵中または使用中におけるＶＯＣの蒸発により減量または拡散することを防止する方法であって、ＶＯＣまたはＶＯＣを含有する有機液体からのＶＯＣの蒸発抑制方法およびＶＯＣ蒸発抑制剤ならびにＶＯＣ吸収用吸収液組成物を提供する点にある。
【課題を解決するための手段】
【００１８】
そこで、本発明者は、前記の本発明の課題を解決するために、鋭意検討を重ねた結果、ＶＯＣまたはＶＯＣを含有する有機液体からのＶＯＣの蒸発抑制には、シリコーンオイルの添加により、前記課題が解決できることを見い出し、これらの知見に基いて、本発明の完成に到達した。
【００１９】
かくして、本発明によれば、請求項１において、揮発性有機溶剤または有機液体または有機液体に含有された揮発性有機溶剤が貯蔵中または使用中に蒸発により減量また拡散することを防止するための揮発性有機溶剤の蒸発抑制方法であって、
揮発性有機溶剤または揮発性有機溶剤を含有する有機液体に有効量のシリコーンオイルを添加することを特徴とする揮発性有機溶剤の蒸発抑制方法
が提供される。
【００２０】
また、本願請求項１に係る発明の好ましい実施形態として、次に示す請求項２乃至７に記載のＶＯＣの蒸発抑制方法が提供される。
【００２１】
すなわち、
（１）請求項２に係る発明によれば、
前記シリコーンオイルが、−１０℃においても流動可能な液状体又は界面活性剤で水中に形成させたエマルジョン状の分散体である請求項１に記載の揮発性有機溶剤の蒸発抑制方法
が提供される。
【００２２】
（２）請求項３に係る発明によれば、
前記シリコーンオイルの分子量が２５０以上であり、沸点が２００℃以上の常温で液体状である請求項１または２に記載の揮発性有機溶剤の蒸発抑制方法
が提供される。
【００２３】
（３）請求項４に係る発明によれば、
前記シリコーンオイルの添加量が、揮発性有機溶剤、または揮発性有機溶剤を含有する有機液体の全質量基準で、５質量ｐｐｍ〜３０質量％である請求項１に記載の揮発性有機溶剤の蒸発抑制方法
が提供される。
【００２４】
（４）請求項５に係る発明によれば、
前記有機液体が、添加対象とされる前記シリコーンオイルの表面張力以上の表面張力を有する揮発性有機溶剤吸収液である請求項１に記載の揮発性有機溶剤の蒸発抑制方法
が提供される。
【００２５】
（５）請求項６に係る発明によれば、
前記有機液体が、リン酸エステル、ポリエーテル、エポキシ化合物、有機酸エステル、液状炭化水素、またはこれらの混合物である請求項１または５に記載の揮発性有機溶剤の蒸発抑制方法
が提供される。
【００２６】
（６）請求項７に係る発明によれば、
前記揮発性有機溶剤が、ベンゼン、トルエン、キシレン、アセトン、メチルエチルケトン、酢酸エチル、酢酸プロピル、メタノール、イソブタノール、炭化水素混合体、テトラヒドロフラン、ジメチルホルムアルデヒド、アクリル酸エステル、メタクリル酸エステル、Ｎ−メチルピロリドン、酢酸、及びトリクロルエチレンからなる群より選択された少なくとも一種である請求項１に記載の揮発性有機溶剤の蒸発抑制方法
が提供される。
【００２７】
また、本発明によれば、
請求項８において、請求項１〜７に係る揮発性有機溶剤の蒸発抑制方法において用いられるシリコーンオイルからなる揮発性有機溶剤蒸発抑制剤
が提供される。
【００２８】
さらに、本発明によれば、
請求項９において、請求項１〜７に係る揮発性有機溶剤の蒸発抑制方法について用いられるシリコーンオイルと有機液体からなる揮発性有機溶剤吸収用吸収液組成物
が提供される。
【発明の効果】
【００２９】
請求項１に係る発明によれば、ＶＯＣまたはＶＯＣを含有する有機液体からのＶＯＣの蒸発を簡便な操作により効率よく抑制することができる。
【００３０】
ＶＯＣの蒸発抑制効果については、実施例と対応する比較例の各吸収率の差によって示されるように、シリコーンオイルの吸収液への添加（各実施例）により、吸収と同時に生じる再蒸発を抑制することはでき、吸収率の向上に寄与することができる。
【００３１】
請求項２〜７に係る発明のＶＯＣ蒸発抑制方法によれば、さらにＶＯＣ蒸発抑制効果を奏する。
【００３２】
請求項９に係るＶＯＣ蒸発抑制方法および請求項１０に係るＶＯＣ吸収用吸収液組成物によれば、特定量のシリコーンオイルの使用により、ＶＯＣ蒸発抑制を著しく顕著に達成することができ、かかる応用により処理対象とする排ガス中のＶＯＣに対し、吸収率の高い除去方法を提供することができる。
【発明を実施するための最良の形態】
【００３３】
以下、本発明について具体的に説明する。
揮発性有機溶剤
本発明に係るＶＯＣまたはＶＯＣを含有する有機液体からのＶＯＣの蒸発抑制方法において処理対象とされるＶＯＣは、特に限定されるものでないが、具体的には、トルエン、キシレン等の芳香族炭化水素、その他の炭化水素混合体、トリクロルエチレン等のハロゲン化炭化水素、酢酸エチル、アクリル酸メチル、メタクリル酸メチル等のエステル類、メチルエチルケトン等のケトン類、メタノール、エタノール、イソプロピルアルコール等のアルコール類、ジメチルホルムアミド等のアミド類、Ｎ−メチルピロリドン等の複素環化合物、テトラヒドロフラン、酢酸等の有機酸等を挙げることができる。
【００３４】
かかるＶＯＣの群のなかで、特に効果的に蒸発抑制が可能なＶＯＣとしては、トルエン、キシレン、トリクロエチレン、酢酸エチル、酢酸プロピル、アセトン、メチルエチルケトン等を挙げることができる。
シリコーンオイル
【００３５】
本発明に係るＶＯＣ蒸発抑制方法において用いられるシリコーンオイルは、オルガノポリシロキサンであり、−１０℃においても液状を保持可能なものまたは界面活性剤を用いて水中でエマルジョン化したエマルジョン状の分散体である。
【００３６】
また、本発明に係るＶＯＣ蒸発抑制方法の実施に対して、有用なシリコーンオイルとしては、平均分子量２５０以上であって、沸点が２００℃以上のものが好適であり、さらに好ましくは、平均分子量３００以上であり、沸点が３００℃以上で表示されるものである。かかる性状に加えて、２５℃における動粘度として、５〜５０ｍｍ２／ｓのものが好ましく、１０〜３０ｍｍ２／ｓのものが特に好ましい。
【００３７】
本発明に係るＶＯＣ蒸発抑制方法に有用なシリコーンオイルとしては、前記の通りの性状を有するのもであって、例えば、下記の一般式（ｉ）を有するオルガノポリシロキサンを挙げることができる。
【００３８】
【化１】
2014213216.tif 000002
【００３９】
一般式（ｉ）において、Ｒは互いに同一でも異なるものでもよい有機基である。有機基としては、炭素数１〜１０の炭化水素基が好ましく、炭化水素基としては、アルキル基、アルケニル基、アリール基、アルキルアリール基、アリールアルキル基であり、これらは、フッ素を含むものでもよい。ＶＯＣ蒸発抑制剤としては、前記の性状を有するように、Ｒの種類を選択し、構造を調整すればよいが、炭化水素基としては、アルキル基およびフェニル基が好ましく、アルキル基としては炭素数１〜４のものがさらに好ましく、メチル基またはエチル基が特に好ましい。また、ｎは１〜３０であり、好ましくは３〜１０である。
【００４０】
従って、シリコーンオイルとしては、具体的には、ポリシロキサンの側鎖および末端がすべてメチル基であるジメチルポリシロキサン、ジメチルポリシロキサンの側鎖および末端のメチル基の一部が、水素、炭素数２〜１０のアルキル基、フッ素変性された炭素数１〜１０のアルキル基等に置換された変性シリコーンオイル等を挙げることができるが、入手容易性のほか、表面張力の観点から一般式（ｉ）におけるＲがメチル基であるものが好ましい。
【００４１】
シリコーンオイルの添加量は、ＶＯＣまたはＶＯＣ含有有機液体の全質量基準で５質量ｐｐｍ〜３０質量％、好ましくは２０質量ｐｐｍ〜１０質量％、さらに好ましくは、３００質量ｐｐｍ〜５質量％である。シリコーンオイルの添加量が、５質量ｐｐｍに達しない場合は、ＶＯＣ蒸発抑制効果が得られず、一方、３０質量％を超えるとＶＯＣ吸収効果が激減するおそれがあり、また、増量によるさらなる蒸発抑制効果が得られない。
【００４２】
シリコーンオイルは後述の実施例において具体的に示すように特定の範囲においてＶＯＣ蒸発抑制効果を示すのは、シリコーンオイルは、常温常圧の環境条件下においてはＶＯＣの吸収作用が低いが、ＶＯＣおよびＶＯＣ含有有機液体および水に比較して表面張力が低いので、シリコーンオイルが有機液体の表面に集まり易く、シリコーンオイルの膜が有機液体の表面を覆うために有機液体に未吸収のＶＯＣの再蒸発を抑制しているものと推定される。
有機液体
【００４３】
本発明に係るＶＯＣ蒸発抑制方法において用いられる有機液体およびＶＯＣ蒸発抑制剤を含有するＶＯＣ吸収液組成物の構成成分としての有機液体としては、常態で液状であり、前記シリコーンオイルの表面張力に比較して高い表面張力を有するものであり、２０℃における表面張力としては、好ましくは２１ｍＮ／ｍ以上、さらに好ましくは２３ｍＮ／ｍ以上のものである。
【００４４】
かかる有機液体の好ましい具体例としては、リン酸エステル、ポリエーテル、エポキシ化合物、有機酸エステル、液状炭化水素およびこれらの混合物を挙げることができる。
有機リン酸エステル
【００４５】
本発明に係るＶＯＣ蒸発抑制方法において有機液体として用いられる有機リン酸エステルは、次の一般式（ii）を有するオルソフオスフェートエステルを挙げることができる。
【００４６】
【化２】
2014213216.tif 000003
【００４７】
一般式（ii）において、Ｒ′、Ｒ′′およびＲ′′′は、置換基を有していてもよいアルキル基、置換基を有していてもよいシクロアルキル基、置換基を有していてもよいアリール基であり、互いに同一または異なるものでもよい。アルキル基としては、直鎖状または分岐状の炭素数１〜３０、好ましくは炭素数８以上のものを挙げることができる。アリール基としては、炭素数６〜１４のものであり、具体的には、フェニル、ナフチル、アズレニル、アントリール等を挙げることができる。また、アリール基の置換基としては炭素数１〜５のアルキル基、例えば、メチル、エチル、プロピル、イソプロピル、ブチルイソブーチル等を挙げることができる。シクロアルキル基としては、炭素数３〜７のものであり、具体的にはシクロプロピル、シクロブチル、シクロペンチル、シクロヘキシル、シクロヘプチル等を挙げることができる。
【００４８】
前記の一般式（ii）で表されるリン酸エステルは、ＶＯＣを含有する排ガスとの接触によりＶＯＣを効率よく吸収するためには、平均分子量が２５０以上、好ましくは３００以上であり、沸点が２００以上、好ましくは２５０℃以上であり、２５℃における動粘度は２０〜１０００ｍｍ２／ｓ、好ましくは３０〜３００ｍｍ２／ｓのものが採用される。
【００４９】
かかるリン酸エステルとして、トリアリールリン酸エステル、アルキルジアリールリン酸エステル、アリールジアルキルリン酸エステル、トリアルキルリン酸エステル等を挙げることができる。特に好ましいリン酸エステルは、トリアリールリン酸エステル、ジフェニルアリールリン酸エステルであり、具体的には、リン酸トリクレジル、リン酸クレジルジフェニル、リン酸トリス（イソプロピルフェニル）、リン酸オクチルジフェニル等を挙げることができる。
エポキシ化合物
【００５０】
エポキシ化合物としては、分子中にエポキシ基を有する有機化合物であり、分子量が２５０以上、さらに好ましくは３００以上のものであり、かつ、沸点が２００℃以上のものである。具体的には、エポキシヘキサヒドはフタル酸ジブチル、エポキシヘキサヒドロフタル酸ジペンチル、エポキシヘキサヒドロフタル酸ジヘキシル、エポキシヘキサヒドロフタル酸ジヘプチル、エポキシヘキサヒドロフタル酸−ジ-２−エチルヘキシル（ＥＰＳ）、エポキシヘキサヒドロフタル酸−ジ−ｎ−オクチル、エポキシヘキサヒドロフタル酸−ジ−エポキシ化ステアリル、エポキシヘキサヒドロフタル酸ジイソデシル等を挙げることができる。
【００５１】
かかるエポキシ化合物のなかで、ＶＯＣの吸収力の観点およびシリコーンオイルによるＶＯＣに対する蒸発抑制効果を助長できる観点から、エポキシヘキサヒドロフタル酸−ジ-２−エチルヘキシル（ＥＰＳ）、エポキシヘキサヒドロフタル酸−ジ−ｎ−オクチルが特に好ましい。
【００５２】
さらに、エポキシ化合物として、エチレングリコールジグリシジルエーテル、水素化ビスフェノールＡジグリシジルエーテル、１．４−シクロへキサンジメタノールジグリシジルエーテル、プロピレングリコールジグリシジルエーテル、ブチレングリコールジグリシジルエーテル、ヘキシレングリコールジグリシジルエーテル等を挙げることができる。また、安息香酸グリシジルエーテル、フタル酸ジグリシジルエーテル等も挙げることができる。
有機酸エステル
【００５３】
有機酸エステルとしてはフタル酸エステル、脂肪族二塩基酸エステル等を挙げることができる。  フタル酸エステルとしては、特に限定されないが、フタル酸ジブチル、フタル酸ジペンチル、フタル酸ジヘキシル、フタル酸ジヘプチル、フタル酸ジ−２−エチルヘキシル、フタル酸ジオクチル、フタル酸ジイソノニル、フタル酸ジイソデシル、フタル酸ジトリデシル等を挙げることができる。また、脂肪族二塩基酸エステルとしては、アジピン酸、アゼライン酸、セバシン酸等の二塩基酸等のエステル、例えば、アジピン酸ジ−２−エチルヘキシル、アジピン酸ジイソノニル、アジピン酸ジイソデシル、アゼライン酸ジ−２−エチルヘキシル、セバシン酸ジ−２−エチルヘキシル等を挙げることができ、通常使用されているものを適宜選択することができる。
ポリエーテル
【００５４】
ポリエーテルとしては、ポリアルキレングリコールを用いることができる。ポリアルキレングリコールとしては、平均分子量が３００〜１５，０００、好ましくは５００〜２，０００のものを選択することができ、具体的には、前記範囲の平均分子量を有するポリプロピレングリコール（ＰＰＧ）、ポリエチレングリコール（ＰＥＧ）等を挙げることができる。
液状炭化水素類
【００５５】
液状炭化水素類としては、鉱油系潤滑油留分、例えば、１００℃における動粘度３〜８０ｍｍ２／ｓ、好ましくは２〜３０ｍｍ２／ｓ、さらに好ましくは３〜１０ｍｍ２／ｓの直留油系留分または分解油系留分またはこれらの混合油系留分、流動パラフィン、また、潤滑油留分の１００℃動粘度と同等の２０〜８０ｍｍ２／ｓ、好ましくは３〜３０ｍｍ２／ｓの１００℃動粘度または、平均分子量として３００〜３，０００を有するα−オレフィンオリゴマー（ＰＡＯ）等を挙げることができる。  かかる有機液体は、一種または二種以上を混合して用いることができる。  かかるフタル酸エステルおよび脂肪族-二塩基酸エステルとしては、プラスチック可塑剤の市販品を利用することができる。
ＶＯＣ蒸発抑制剤
【００５６】
本発明に係るＶＯＣ蒸発抑制剤は、前記の通り、シリコーンオイルからなるものであり、ＶＯＣ蒸発抑制作用を有するように、性状および化学構造が調整されたものである。具体的な性状および化学構造については前記の通りである。
なお、本発明に係るＶＯＣ蒸発抑制剤は、シリコーンオイルを主成分とするものであり、その他の媒体および添加剤を適宜含有するものであってもよい。
ＶＯＣ蒸発抑制剤を含有するＶＯＣ吸収用吸収液組成物
【００５７】
本発明に係るＶＯＣ蒸発抑制剤を含有するＶＯＣ吸収用吸収液組成物は、前記有機液体と、該有機液体に添加されたシリコーンオイルからなる混合物を主成分とするものであり、必要に応じて他の有機液体、添加剤等を配合してもよい。ＶＯＣ吸収用吸収液組成物の各成分については、前記に説明したとおりである。
【図面の簡単な説明】
【００５８】
【図１】ＶＯＣ蒸発量の測定器具を示す概念図である。
【図２】バブリング法によるＶＯＣ吸収試験の試験装置を示す概念図である。
【符号の説明】
【００５９】
Ａ：空気導入口
１：ＶＯＣ充填容器
ａ：入口サンプリング箇所
２：吸収剤充填容器
ｂ：出口サンプリング箇所
Ｂ：出口（ポンプ吸引による空気排出口）
【実施例】
【００６０】
以下、本発明について、実施例及び比較例により、さらに具体的に説明する。もっとも、本発明は、実施例等により限定されるものではない。
１．ＶＯＣ蒸発抑制効果の評価
本発明によるＶＯＣ蒸発抑制効果については、１）図１に示す試験液の液面上に蒸発したＶＯＣの濃度の測定および２）図２に示すバブリング法によるＶＯＣの吸収率の測定により評価した。
１）試験液液面上のＶＯＣ蒸発量の測定
ＤＯＰ（ジー２ーエチルヘキシルフタレート）１００容量部にＶＯＣ２０容量部を添加し、さらに、シリコーンオイルを添加して調製した試験液１と、シリコーンオイルを添加しない試験液２を、それぞれ２０ｍｌ容量の試験管に1０ｍｌ採り、採取直後、１０分後、３０分後の試験管内の液面上に蒸発したＶＯＣ濃度を測定した。また、シリコーンオイルを添加しない場合においても、同条件で経時的に液面上のＶＯＣ濃度を測定した。
なお、ＶＯＣ濃度の測定には、株式会社バイオレット製の簡単スピード測定センサー（高分子薄膜素子と干渉増幅反射法の組合せ）を使用した。
２）バブリング法によるＶＯＣ吸収率の測定
【００６１】
図２に示す容器(1)に３０ｍｌのＶＯＣ、容器(２)に２００ｍｌの吸収液剤を採り、環境温度（常温）において出口からポンプで吸引し、ＶＯＣを含有する空気を約３．０リットル／分の風量でバブリングさせた。容器の入口ａおよび出口ｂの気体をそれぞれサンプリングし、気中のＶＯＣ濃度を測定した。
入口ａおよび出口ｂのＶＯＣ濃度の差からＶＯＣの吸収率を求めた。
【００６２】
２．ＶＯＣ吸収液およびＶＯＣ蒸発抑制剤
実施例等においては、次に掲げる吸収液およびシリコーンオイルを用いた。
（１）フタル酸−ジ−２−エチルヘキシル（ＤＯＰ）
（２）シリコーンオイル  ２５℃動粘度  ２０ｍｍ２／ｓ
【００６３】
実施例１
前記１）の試験液液面上の経時的ＶＯＣ蒸発量の測定において、フタル酸−ジ−２−エチルヘキシル１００容量部とトルエン２０容量部の試験液を調製し、これにシリコーンオイルを５００質量ｐｐｍ添加し、添加直後、１０分後および３０分後の液面上のトルエン濃度を測定した。測定結果を表１に示す。
【００６４】
比較例１
シリコーンオイル試験液を添加しなかったこと以外すべて実施例１と同一の条件および操作により液面上のトルエン濃度を測定した。測定結果を表１に示す。
【００６５】
実施例２
フタル酸ジオクチル（ＤＯＰ）に２５℃における動粘度２０ｍｍ２／ｓのシリコーンオイルを３質量％を添加して、吸収液を調製し、前記（２）のバブリング法によるＶＯＣ吸収率の測定方法により、ＶＯＣとしてトルエンを用いてトルエンの吸収率を求め、後述の比較例２のトルエン吸収率との差をトルエンに対する蒸発抑制効果として評価した。評価結果を表２に示す。
【００６６】
実施例３
ＶＯＣとして酢酸エチルを用いたこと以外すべて実施例２と同一の条件および操作により、酢酸エチルの吸収率を求め、比較例３の酢酸エチルの吸収率の差を、酢酸エチルに対する蒸発抑制効果として評価した。
【００６７】
実施例４
ＶＯＣとしてトリクロルエチレンを用いたこと以外すべて実施例３と同一の条件および操作によりトリクロルエチレンの吸収率を求め、比較例４のトリクロルエチレンの吸収率との差によりトリクロルエチレンに対する蒸発抑制効果を評価した。
【００６８】
実施例５
リン酸トリクレジル（ＴＣＰ）に２５℃における動粘度２０ｍｍ２／ｓのシリコーンオイルを３質量％添加し、吸収液を調製し、前記（２）のパブリング法によるＶＯＣの吸収率の測定方法により、ＶＯＣとしてトルエンを用いて、トルエンの吸収率を求め、後述の比較例５のトルエン吸収率との差をトルエンに対する蒸発抑制効果として評価した。
【００６９】
実施例６
ＶＯＣとして酢酸エチルを用いたこと以外すべて実施例５と同一の条件および操作により、酢酸エチルの吸収率を求め、比較例６の酢酸エチルの吸収率との差を、酢酸エチルに対する蒸発抑制効果として評価した。
【００７０】
比較例２
吸収液を調製する際に、シリコーンオイルを添加しなかったこと以外すべて実施例２と同一の条件および操作によりトルエンの吸収率を求めた。
【００７１】
比較例３
吸収液を調製する際に、シリコーンオイルを添加しなかったこと以外すべて実施例３と同一の条件および操作により酢酸エチルの吸収率を求めた。
【００７２】
比較例４
吸収液を調整する際に、シリコーンオイルを添加しなかったこと以外すべて実施例４と同一の条件および操作によりトリクロエチレンの吸収率を求めた。
【００７３】
比較例５
吸収液を調整する際に、シリコーンオイルを添加しなかったこと以外すべて実施例５と同一の条件および操作によりトルエンの吸収率を求めた。
【００７４】
比較例６
吸収液を調製する際に、シリコーンオイルを添加しなかったこと以外すべて実施例６と同一の条件および操作により酢酸エチルの吸収率を求めた。
【００７５】
前記の実施例と比較例の対比から理解される点は、排ガス中のＶＯＣの除去については、吸収液による吸収と蒸発との差が吸収率として表れるが、シリコーンオイルの吸収液の添加により再蒸発が抑制され、吸収率が向上していることであり、各実施例で示されるように、本発明による顕著な効果が明らかである。
【００７６】
【表１】
2014213216.tif 000004
【００７７】
【表２】
2014213216.tif 000005
【図１】
2014213216.tif 000006
【図２】
2014213216.tif 000007